(57)【要約】【課題】歯茎が腫れていたり炎症を起こしていても、痛みを感じにくくしながら歯や歯茎を磨くことができる歯ブラシを提供する。【解決手段】一対の最外側毛束列１７が植設される最外側植毛穴１４ｄの、最外縁を結んだ仮想の第１周縁線１８ａによって囲まれる領域を矩形状植毛領域１８とする。矩形状植毛領域１８に少なくとも一部が含まれる複数の植毛穴１４を、主植毛穴１４ａとする。主植毛穴１４ａのうちの、最外周に配置される主植毛穴１４ａの外縁を結んだ仮想の第２周縁線１９ａによって囲まれる領域を、長手方向中央部植毛領域１９とする。長手方向中央部植毛領域１９の長手方向の最大長さＬに対する、幅方向Ｙの最大幅ｈの比（ｈ／Ｌ）が、０．９〜２、長手方向中央部植毛領域１９の最大幅ｈが、１０〜１７ｍｍ、長手方向中央部植毛領域１９の面積を、主植毛穴１４ａの数で割った平均占有単位面積が、１．５〜４ｍｍ2となっている。【選択図】図２
2016097191.tif 000002
【特許請求の範囲】
【請求項１】
先端に向かって断面積を減少させたテーパー形状部分を備える複数本のテーパーブリッスルを束ねてなる毛束が、植毛台に形成された複数の植毛穴に各々植設されている歯ブラシであって、
前記植毛台の長手方向に直線状に毛束が連設する、平行に配置された一対の最外側毛束列が、前記植毛台の両側の側縁部分に設けられており、
これらの一対の最外側毛束列が植設される最外側植毛穴の、最外縁を結んだ仮想の第１周縁線によって囲まれる領域を矩形状植毛領域とし、該矩形状植毛領域に少なくとも一部が含まれる複数の植毛穴を、主植毛穴とすると共に、これらの主植毛穴のうちの、最外周に配置される主植毛穴の外縁を結んだ仮想の第２周縁線によって囲まれる領域を、前記植毛台の長手方向中央部植毛領域とした際に、
該長手方向中央部植毛領域における、前記植毛台の長手方向の最大長さＬに対する、前記植毛台の長手方向と垂直な方向の最大幅ｈの比（ｈ／Ｌ）が、０．９〜２となっており、
前記長手方向中央部植毛領域における、前記植毛台の長手方向と垂直な方向の最大幅ｈが、１０〜１７ｍｍとなっており、
前記長手方向中央部植毛領域の面積を、前記主植毛穴の数で割った値である、主植毛穴の平均占有単位面積が、１．５〜４ｍｍ2となっている歯ブラシ。
【請求項２】
前記主植毛穴の数が、２０〜８０個である請求項１記載の歯ブラシ。
【請求項３】
前記主植毛穴の前記植毛台の植毛面における横断面積の平均が、０．６〜１．４ｍｍ2である請求項１又は２記載の歯ブラシ。
【請求項４】
前記主植毛穴以外の植毛穴の、前記植毛台の植毛面における横断面積の平均が、０．６〜１．４ｍｍ2である請求項１〜３のいずれか1項記載の歯ブラシ。
【請求項５】
前記主植毛穴及び前記主植毛穴以外の植毛穴に植設された複数の前記毛束は、前記植毛台の植毛面から前記テーパーブリッスルの先端までの高さの前記毛束ごとの平均高さが、当該毛束ごとの平均高さの最小値と最大値との差が３ｍｍ以下となるように植設されている請求項１〜４のいずれか1項記載の歯ブラシ。
【請求項６】
前記長手方向央部植毛領域の前記主植毛穴は、幅方向中央部分に設けられた複数の幅方向中央部主植毛穴と、幅方向中央部分の両側の幅方向外側部分に設けられた複数の幅方向外側部主植毛穴とを含んでおり、前記幅方向中央部主植毛穴の前記植毛台の植毛面における横断面積が、１．０〜１．６ｍｍ2でなっており、前記幅方向外側部主植毛穴の前記植毛台の植毛面における横断面積が、０．４〜０．９ｍｍ2でなっている請求項１〜５のいずれか1項記載の歯ブラシ。
【請求項７】
前記長手方向中央部植毛領域の前記主植毛穴に植設された複数の毛束を構成する前記テーパーブリッスルの先端を連ねて形成される仮想の先端ブラシ面は、前記植毛台の長手方向から見た際に、滑らかに連続して上方に凸の弧状に湾曲する湾曲凸面となっている請求項１〜６のいずれか1項記載の歯ブラシ。
【発明の詳細な説明】
【技術分野】
【０００１】
本発明は、歯ブラシに関し、特に、テーパーブリッスルを束ねてなる毛束が、植毛台に形成された複数の植毛穴に植設されている歯ブラシに関する。
【背景技術】
【０００２】
歯ブラシは、複数本のブリッスルを束ねてなるタフト（毛束）を、例えば植毛台の植毛面に形成された複数の植毛穴に、平線を打ち込む方法や熱で融着させる方法等によって植設固定することにより形成される。また、歯ブラシは、前歯、奥歯等の歯の種類や、歯間部、歯面部、歯頸部、歯裏部等の歯の部位に応じた適切な刷掃を効率良く行って、歯垢等を効果的に除去できるように、また刷掃時に良好な感触が得られるように、毛束の配置やブリッスルの毛先の形状等に様々な工夫がなされている。
【０００３】
近年、例えば中高年層の中で、歯茎の腫れや炎症について悩みを抱えている方が増えている。歯茎に悩みを抱えている方は、歯茎が腫れていたり炎症を起こしていたりすることで、歯ブラシを用いて歯面や歯茎をブラッシングする際に、痛みを感じ易い。このため、歯茎や歯茎に近接する部分を、磨きたいけど磨けなくなったり、恐る恐る磨いたりすることなどによって、特に歯と歯茎の境目部分に付着した歯垢や細菌類等を除去したり、これらの境目部分に歯磨き剤の有効成分を効率良く送達させたりすることが困難になる場合がある。
【０００４】
また、植毛台に植設される毛束を構成するブリッスルとして、先端に向かって断面積を減少させたテーパー形状部分を先端部分に備えるテーパーブリッスルを用いることによって、歯茎への優しい感触が得られるようにした歯ブラシが種々開発されている（例えば、特許文献１、特許文献２、特許文献３参照）。特許文献1の歯ブラシは、先鋭テーパーの合成フィラメント（ブリッスル）を集束した毛束を、穴径が１．５〜２．０ｍｍの植毛穴に植毛したことで、歯と歯茎の境目部分の歯垢の清掃効果を高くすると共に、歯茎当たりがソフトな使用感が得られるようになっている。特許文献２の歯ブラシは、好ましくはテーパー毛を用いた中央毛束と外側毛束との植毛密度比を、所定の範囲としたことで、歯茎への優しい当たり心地と、歯顎部の高い清掃性とを両立できるようになっている。特許文献３の歯ブラシは、好ましくは先端部をテーパー状に加工した刷毛（ブリッスル）を用いると共に、植毛穴の面積を小さくし、且つ植毛穴間の距離を小さくすることによって、清掃力や、刷掃実感や、歯茎への当たり心地を向上させるようになっている。
【先行技術文献】
【特許文献】
【０００５】
【特許文献１】実開平６−１５４号公報
【特許文献２】特開２０１２−３４８４５号公報
【特許文献３】特開２００６−１８１１７４号公報
【発明の概要】
【発明が解決しようとする課題】
【０００６】
しかしながら、上記従来のテーパーブリッスルを用いることによって歯茎への優しい感触が得られるようにした歯ブラシによれば、特許文献１や特許文献２の歯ブラシでは、テーパーブリッスルは、先端がラウンド形状のプリッスルと比較してソフトな感触が得られるものの、毛束が植設される植毛穴の穴径が大きいものが含まれているため、ブラッシング圧を強く感じることになって、特に歯茎が腫れていたり歯茎に炎症を起こしていたりする場合には、痛みを感じ易くなる。また、特許文献３の歯ブラシでは、毛束が植設される植毛穴の穴径が小さくなっている一方で、植毛穴のばらつきが大きいため、植毛台の全体の面積との関係でブラッシング圧にむらが生じ易く、歯面や歯茎に対する清掃効果に課題があるだけでなく、ブラッシング圧を強く感じる部分があることから、特に歯茎が腫れていたり歯茎に炎症を起こしている場合には、痛みを感じ易くなる。
【０００７】
このため、歯茎へのより一層優しい感触が得られるようにすることで、特に歯茎が腫れていたり歯茎に炎症を起こしていたりする場合でも、痛みを感じにくくしながら歯や歯茎を効果的に磨くことを可能にすると共に、歯と歯茎の境目部分のみならず、歯の表面も効果的に刷掃することを可能にする新しい歯ブラシの開発が望まれている。
【０００８】
本発明は、歯茎が腫れていたり歯茎に炎症を起こしている場合でも、痛みを感じにくくしながら歯や歯茎を効果的に磨くことができると共に、歯と歯茎の境目部分のみならず、歯の表面も効果的に刷掃することのできる歯ブラシに関する。
【課題を解決するための手段】
【０００９】
本発明は、先端に向かって断面積を減少させたテーパー形状部分を備える複数本のテーパーブリッスルを束ねてなる毛束が、植毛台に形成された複数の植毛穴に各々植設されている歯ブラシであって、前記植毛台の長手方向に直線状に毛束が連設する、平行に配置された一対の最外側毛束列が、前記植毛台の両側の側縁部分に設けられており、これらの一対の最外側毛束列が植設される最外側植毛穴の、最外縁を結んだ仮想の第１周縁線によって囲まれる領域を矩形状植毛領域とし、該矩形状植毛領域に少なくとも一部が含まれる複数の植毛穴を、主植毛穴とすると共に、これらの主植毛穴のうちの、最外周に配置される主植毛穴の外縁を結んだ仮想の第２周縁線によって囲まれる領域を、前記植毛台の長手方向中央部植毛領域とした際に、該長手方向中央部植毛領域における、前記植毛台の長手方向の最大長さＬに対する、前記植毛台の長手方向と垂直な方向の最大幅ｈの比（ｈ／Ｌ）が、０．９〜２となっており、前記長手方向中央部植毛領域における、前記植毛台の長手方向と垂直な方向の最大幅ｈが、１０〜１７ｍｍとなっており、前記長手方向中央部植毛領域の面積を、前記主植毛穴の数で割った値である、主植毛穴の平均占有単位面積が、１．５〜４ｍｍ2となっている歯ブラシにより、上記課題を解決したものである。
【発明の効果】
【００１０】
本発明の歯ブラシによれば、歯茎が腫れていたり歯茎に炎症を起こしている場合でも、痛みを感じにくくしながら歯や歯茎を効果的に磨くことができると共に、歯と歯茎の境目部分のみならず、歯の表面も効果的に刷掃することができる。
【図面の簡単な説明】
【００１１】
【図１】本発明の好ましい一実施形態に係る歯ブラシの側面図である。
【図２】本発明の好ましい一実施形態に係る歯ブラシの要部を示す略示平面図である。
【図３】本発明の好ましい一実施形態に係る歯ブラシを、図１の左側から見た略示正面図である。
【図４】本発明の好ましい一実施形態に係る歯ブラシを使用して、歯と歯茎の境目部分を歯や歯茎と共に刷掃する状況の説明図である。
【図５】やわらかい表面の刷掃痕深さ評価試験の説明図である。
【図６】（ａ）〜（ｃ）は、刷掃シミュレーション解析の説明図である。
【図７】実施例１〜３の歯ブラシについてのシミュレート結果を示すグラフである。
【図８】比較例１〜３の歯ブラシについてのシミュレート結果を示すグラフである。
【図９】比較例４、５の歯ブラシについてのシミュレート結果を示すグラフである。
【発明を実施するための形態】
【００１２】
図１及び図２に示す本発明の好ましい一実施形態に係る歯ブラシ１０は、把持部１２と植毛台１１とこれらを連結する首部１３とからなる歯ブラシ本体の植毛台１１に形成された複数の植毛穴１４に、複数本のテーパーブリッスル１６を束ねてなる毛束（タフト）１５を、各々植設（植毛）することによって構成される。本実施形態の歯ブラシ１０は、植毛台１１の長手方向Ｘの中央部分の植毛領域（長手方向中央部植毛領域１９）における、毛束１５が植設される植毛穴１４の大きさ、数、配設位置等を工夫することによって、例えば歯茎が腫れていたり歯茎に炎症を起こしている場合でも、痛みを感じることを抑制して歯や歯茎を効果的に磨くことができるようにする機能を備える。
【００１３】
すなわち、本実施形態によれば、例えば図４に示すように、歯ブラシ１０を用いて、歯５０と歯茎５１の境目部分５２と共に、当該境目部分５２に近接する歯５０の表面を歯茎５１の表面と同時に刷掃する場合、植毛台１１の長手方向Ｘを横方向に向けて、歯５０と歯茎５１の境目部分５２の方向に植毛台１１を沿わせながら、歯ブラシ１０のテーパーブリッスル１６による先端ブラシ面３０を歯５０や歯茎５１に押し付けた状態で、歯磨きを行うのが一般的である。その一方で、歯５０の並びは外側に凸の湾曲凸面に沿って横方向に配置されていることから、歯磨きを行なう際に、植毛台１１の長手方向Ｘの中央部分の先端ブラシ面３０を歯５０や歯茎５１に押し付けた状態とすることで、自然に力を入れ易くなって、最も安定した状態で歯磨き行なうことが可能になる。本実施形態の歯ブラシ１０は、このような、歯５０と歯茎５１の境目部分５２を歯５０と歯茎５１と共に刷掃する際に、歯５０や歯茎５１に押し付けられる主要な部分となると考えられる、植毛台１１の長手方向Ｘの中央部分の毛束１５について、これらの毛束１５が植設される植毛穴１４（主植毛穴１４ａ）の大きさ、数、配設位置等に改良がなされている。これによって、本実施形態の歯ブラシ１０は、例えば歯茎５１が腫れたり炎症を起こして歯肉の腫れ及び／又は出血部分５１ａ等が生じている場合でも、痛みを感じることを抑制したり防止して、歯５０や歯茎５１を効果的に磨くことができるようにすると共に、歯５０と歯茎５１の境目部分５２のみならず、歯５０の表面や歯茎５１の表面も効果的に刷掃できるようにするものである。
【００１４】
そして、本実施形態の歯ブラシ１０は、先端に向かって断面積を減少させたテーパー形状部分を備える複数本のテーパーブリッスル１６を束ねてなる毛束（タフト）１５が、植毛台１１に形成された複数の植毛穴１４に各々植設されている歯ブラシであって、図１及び図２に示すように、植毛台１１の長手方向Ｘに直線状に毛束１５が連設する、平行に配置された一対の最外側毛束列１７が、植毛台１１の両側の側縁部分に設けられている。これらの一対の最外側毛束列１７が植設される最外側植毛穴１４ｄの、最外縁を結んだ仮想の第１周縁線１８ａによって囲まれる領域を矩形状植毛領域１８とする（一点鎖線参照）。この矩形状植毛領域１８に少なくとも一部が含まれる複数の植毛穴１４を、主植毛穴１４ａとすると共に、これらの主植毛穴１４ａのうちの、最外周に配置される主植毛穴１４ａの外縁を結んだ仮想の第２周縁線１９ａによって囲まれる領域を、植毛台の長手方向中央部植毛領域１９とした際に（点線参照）、この長手方向中央部植毛領域１９における、植毛台の長手方向の最大長さＬに対する、植毛台１１の長手方向Ｘと垂直な方向Ｙの最大幅ｈの比（ｈ／Ｌ）が、０．９〜２となっている。長手方向中央部植毛領域１９における、植毛台１１の長手方向Ｘと垂直な方向Ｙの最大幅ｈが、１０〜１７ｍｍとなっている。長手方向中央部植毛領域１９の面積を、主植毛穴１４ａの数で割った値である、主植毛穴１４ａの平均占有単位面積が、１．５〜４ｍｍ2となっている。
【００１５】
また、本実施形態の歯ブラシ１０では、長手方向中央部植毛領域１９の主植毛穴１４ａに植設された複数の毛束１５（主毛束１５ａ）を構成するテーパーブリッスル１６の先端を連ねて形成される仮想の先端ブラシ面３０は、図３に示すように、植毛台１１の長手方向Ｘから見た際に、滑らかに連続して上方に凸の弧状に湾曲する湾曲凸面となっていることが好ましい。
【００１６】
本実施形態では、歯ブラシ本体は、例えばポリプロピレン、アクリロニトリル、ブタジエン、スチレン共重合体等の合成樹脂を用いて形成することができる。歯ブラシ本体の先端部分を構成する植毛台１１は、好ましくは平坦なトラック円形状の植毛面１１ａを備えており、植毛面１１ａに開口して、毛束１５が植設される複数の植毛穴１４が形成されている。
【００１７】
本実施形態では、トラック円形状の植毛面１１ａの両側の直線状の縁部に沿って、最外側毛束列１７の毛束１５が植設される最外側植毛穴１４ｄが、植毛台１１の長手方向Ｘに所定の間隔をおいて、直線状に一列に連設して各々設けられている。最外側植毛穴１４ｄは、植毛台１１の植毛面１１ａにおける横断面形状が同様の、円形の植毛穴となっており、その中心を直線状に一列に配置して、植毛面１１ａの両側の直線状の縁部に沿って、例えば各々６箇所ずつ、互いに平行に連設して設けられている。
【００１８】
そして、本実施形態では、植毛台１１の植毛面１１ａの両側の縁部に沿って各々直線状に一列に配置された、これらの２列の最外側植毛穴１４ｄの最外縁を結んだ仮想の第１周縁線１８ａによって囲まれる領域が、矩形状植毛領域１８となっている。この矩形状植毛領域１８に少なくとも一部が含まれる複数の植毛穴１４が、歯５０と歯茎５１の境目部分５２を歯５０や歯茎５１と共に刷掃する際に、歯５０や歯茎５１に押し付けられる主要な部分となると考えられる、植毛台１１の長手方向Ｘの中央部分（長手方向中央部植毛領域１９）に配置された主植毛穴１４ａとなっている。
【００１９】
本実施形態では、主植毛穴１４ａは、長手方向中央部植毛領域１９の幅方向中央部分に設けられた、植毛面１１ａにおける横断面形状が好ましくはトラック円形状となっている複数（本実施形態では６箇所）の幅方向中央部主植毛穴１４ｂと、幅方向中央部分の両側の幅方向外側部分に設けられた、植毛面１１ａにおける横断面形状が好ましくは円形となっている複数（本実施形態では両側に各々１９箇所、合計３８箇所）の幅方向外側部主植毛穴１４ｃとを含んで構成されることが好ましい。また、トラック円形状の６箇所の幅方向中央部主植毛穴１４ｂの、歯ブラシ本体の首部１３側の部分に、植毛台１１の植毛面１１ａにおける横断面形状が、幅方向外側部主植毛穴１４ｃと同様の好ましくは円形となっている補助主植毛穴１４ｅが、１箇所に設けられている。
【００２０】
長手方向中央部植毛領域１９は、矩形状植毛領域１８に少なくとも一部が含まれる、幅方向中央部主植毛穴１４ｂ、幅方向外側部主植毛穴１４ｃ、及び補助主植毛穴１４ｅのうちの、最外周に配置される主植毛穴１４ａの外縁を結んだ仮想の第２周縁線１９ａによって囲まれる部分として、区画された領域となっている。
【００２１】
また、本実施形態では、植毛台１１の植毛面１１ａにおける長手方向中央部植毛領域１９よりも歯ブラシ本体の先端側に、先端側植毛領域２０が設けられている。先端側植毛領域２０には、植毛台１１の植毛面１１ａにおける横断面形状が、幅方向外側部主植毛穴１４ｃと同様の好ましくは円形となっている先端側副植毛穴１４ｆが、１６箇所に形成されている。これらの先端側副植毛穴１４ｆは、好ましくは１０箇所以上、より好ましくは１４箇所以上形成されており、好ましくは２０箇所以下形成されている。これらの先端側副植毛穴１４ｆの外縁を結んだ仮想の周縁線は、奥歯等の細かい部分に対する刷掃性の観点から、好ましくは先端側が先端に凸状のドーム形状となっており、より好ましくは先端側が半円形状となっている。
【００２２】
さらに、植毛台１１の植毛面１１ａにおける長手方向中央部植毛領域１９よりも歯ブラシ本体の首部１３側に、基端側植毛領域２１が設けられている。基端側植毛領域２１には、植毛台１１の植毛面１１ａにおける横断面形状が、幅方向外側部主植毛穴１４ｃと同様の好ましくは円形となっている基端側副植毛穴１４ｇが、８箇所に設けられている。
【００２３】
本実施形態では、これらの主植毛穴１４ａ（１４ｂ，１４ｃ，１４ｅ）、及び副植毛穴１４ｆ，１４ｇには、各々の植毛穴１４ａ，１４ｆ，１４ｇの横断面積に応じた本数のテーパーブリッスル１６を束ねてなる毛束１５が、各々挿入固定されて植設されている。毛束１５を構成するテーパーブリッスル１６は、好ましくは合成樹脂からなる。テーパーブリッスル１６を形成する合成樹脂としては、ブリッスルに用いられている公知の各種のものを、特に制限なく用いることができ、例えば、ナイロン（登録商標）、ナイロン６等のポリアミド、ポリブチレンテレフタレート等のポリエステル、ポリオレフィン等が挙げられ、好ましくはポリブチレンテレフタレートである。
【００２４】
テーパーブリッスル１６のテーパー形状部分を除いた部分の直径は、例えば１５０〜２５０μｍとなっており、好ましくは１６０〜２２０μｍ、より好ましくは１６０〜２００μｍとなっている。テーパーブリッスル１６のテーパー形状部分は、ブリッスルの先端部分を公知の研磨装置を用いて研磨することでテーパー状に先鋭加工したり、ブリッスルの先端部分を公知の溶解溶媒中に所定の深さまで浸漬することでテーパー状に先鋭加工したりすることによって、容易に設けることができる。テーパーブリッスル１６は、好適にはブリッスルの先端部分を溶解溶媒に浸漬して加工して設ける。テーパーブリッスル１６におけるテーパー形状部分の長さは、６〜１０ｍｍとなっていることが好ましく、６〜８ｍｍとなっていることがさらに好ましい。
【００２５】
各々の植毛穴１４（１４ａ，１４ｆ，１４ｇ）に毛束１５を植設する方法としては、公知の各種の植毛方法を採用することができる。例えば、（１）毛束を平線で２つ折りにして打ち込む方法や、（２）毛束の片端部を加熱して溶融塊を形成した後、その溶融塊を配置した金型内に溶融樹脂を注入して植毛台を射出形成する方法、（３）植毛孔（貫通孔）を有する植毛基部の該植毛孔に毛束を挿入する挿入工程、該植毛孔から突出する毛束の片端部を加熱して溶融塊を形成する熱加工工程、及び該溶融塊を被覆する被覆工程を経て、毛束が植設された状態の植毛台や歯ブラシを得る方法等を用いることができる。
【００２６】
毛束１５を植設する方法は、比較的小径の植毛穴に毛束を効率良く植毛でき、しかも植毛台の厚さを小さくできることにより、奥歯の磨きやすさ、操作性が向上する観点、及び外観に優れる等の観点から、毛束の片端部に溶融塊を形成する上記（２）、（３）の方法を含む融着植毛を採用することが好ましく、上記（３）の方法を採用することがより好ましい。上記（３）の方法の具体例としては、特開平９−１８２６３２号公報や特開２００３−３１０３５３号公報に記載の方法等を挙げることができる。特開２００３−３１０３５３号公報の記載の方法においては、毛束の片端部を、レーザービーム等の非接触熱源で加熱して、溶融塊を形成すると共にその溶融塊と植毛孔の開口周縁部とを融着させるようになっている。
【００２７】
毛束１５の植毛穴１４（１４ａ，１４ｆ，１４ｇ）への充填率（テーパーブリッスル１６のテーパー形状部分を除いた部分の横断面積の合計／植毛穴の横断面積）は、０．６〜０．８５％となっていることが好ましく、０．６５〜０．８５％となっていることがさらに好ましい。
【００２８】
植毛穴１４（１４ａ，１４ｆ，１４ｇ）に植設される毛束１５は、植毛台１１の植毛面１１ａからテーパーブリッスル１６の先端までの高さ（植毛高さ）が、各々の毛束１５ごとの平均高さとして、例えば１０〜１５ｍｍとすることができ、１２〜１４ｍｍとすることが好ましい。主植毛穴１４ａ（１４ｂ，１４ｃ，１４ｅ）、及び主植毛穴１４ａ以外の副植毛穴１４ｆ，１４ｇに植設された複数の毛束１５は、植毛台１１の植毛面１１ａからテーパーブリッスル１６の先端までの高さの毛束１５ごとの平均高さが、毛束１５ごとのブラッシング圧のばらつきを防止し、テーパーブリッスル１６に特有の尖鋭なブリッスルによる刺激を防止する観点から、当該毛束１５ごとの平均高さの最小値と最大値との差が３ｍｍ以下となるように植設されていることが好ましく、最小値と最大値との差が２．５ｍｍ以下となるように植設されていることがより好ましく、最小値と最大値との差が２ｍｍ以下となるように植設されていることがさらに好ましい。
【００２９】
また、本実施形態では、図１及び図３に示すように、テーパーブリッスル１６の先端を連ねて形成される仮想の先端ブラシ面３０は、植毛台１１の長手方向Ｘから見た際に、滑らかに連続して上方に凸の弧状に湾曲する、湾曲凸面となっていることが好ましい。一方、植毛台１１の長手方向Ｘと垂直な方向Ｙである幅方向から見た際には、歯や歯茎へのブラッシング圧が集中することを防止し、テーパーブリッスル１６に特有の尖鋭なブリッスルによる刺激を防止する観点から、先端ブラシ面３０は、滑らかに連続する平坦な面となっていることが好ましい（図１参照）。植毛台１１の幅方向Ｙから見た先端ブラシ面３０は、滑らかに連続して上方に凸の弧状に湾曲する、湾曲凸面とすることもできる。滑らかに連続して上方に凸の弧状に湾曲する湾曲凸面とした場合には、毛束１５ごとの平均高さの最小値と最大値との差は、好ましくは１ｍｍ以下であり、より好ましくは０．５ｍｍ以下であり、さらに好ましくは０．２ｍｍ以下である。
【００３０】
本実施形態では、長手方向中央部植毛領域１９の主植毛穴１４ａ（１４ｂ，１４ｃ，１４ｅ）に植設された複数の毛束１５は、当該毛束１５を構成するテーパーブリッスル１６の先端を連ねて形成される仮想の先端ブラシ面３０が、歯と歯茎へのブラッシング圧を軽減し、テーパーブリッスル１６に特有の尖鋭なブリッスル先端による刺激を防止する観点、及びよりなめらかな感触を歯茎に与える観点から、植毛台１１の長手方向Ｘから見た際に、好ましくは滑らかに連続する平坦な面となっているか、より好ましくは、滑らかに連続して上方に凸の弧状に湾曲する、湾曲凸面となっている。
【００３１】
そして、本実施形態の歯ブラシで１０は、図２に示すように、長手方向中央部植毛領域１９における、植毛台の長手方向の最大長さＬに対する、植毛台１１の長手方向Ｘと垂直な方向（幅方向）Ｙの最大幅ｈの比（ｈ／Ｌ）が、０．９〜２となっており、長手方向中央部植毛領域１９における、植毛台１１の長手方向Ｘと垂直な方向（幅方向）Ｙの最大幅ｈが、１０〜１７ｍｍとなっており、長手方向中央部植毛領域１９の面積を、主植毛穴１４ａの数で割った値である、主植毛穴１４ａの平均占有単位面積が、１．５〜４ｍｍ2となっている。
【００３２】
ここで、長手方向中央部植毛領域１９における、植毛台１１の長手方向Ｘの最大長さＬに対する、幅方向Ｙの最大幅ｈの比（ｈ／Ｌ）は、歯ブラシの刷掃圧を軽減し、テーパーブリッスル１６の尖鋭な先端によるチクチクする感触を抑制する観点から、０．９以上であり、好ましくは１．０以上であり、より好ましくは１．１以上であり、さらに好ましくは１．１５以上である。植毛台１１の長手方向Ｘの最大長さＬに対する、幅方向Ｙの最大幅ｈの比（ｈ／Ｌ）は、歯ブラシの口腔内における操作性の観点から、２以下であり、好ましくは１．７以下であり、より好ましくは１．４以下である。
【００３３】
また、長手方向中央部植毛領域１９における、植毛台１１の長手方向Ｘの最大長さＬに対する、幅方向Ｙの最大幅ｈの比（ｈ／Ｌ）は、０．９以上２以下であり、好ましくは１．０〜１．７であり、より好ましくは１．１〜１．４であり、さらに好ましくは１．１５〜１．４である。
【００３４】
長手方向中央部植毛領域１９における、植毛台１１の幅方向Ｙの最大幅ｈは、歯ブラシの刷掃圧を軽減して歯茎への刺激を低減しながら、歯ブラシを歯と歯茎に十分に接触させ、しかもテーパーブリッスル１６の尖鋭な先端による刺激を抑制する観点から、１０ｍｍ以上であり、好ましくは１１ｍｍ以上である。
【００３５】
また、長手方向中央部植毛領域１９における、植毛台１１の幅方向Ｙの最大幅ｈは、歯ブラシの口腔内における操作性の観点から、１７ｍｍ以下であり、好ましくは１５ｍｍ以下であり、より好ましくは１３ｍｍ以下である。長手方向中央部植毛領域１９における、植毛台１１の幅方向Ｙの最大幅ｈは、１０ｍｍ以上１７ｍｍ以下であり、好ましくは１１〜１５ｍｍであり、より好ましくは１１〜１３ｍｍである。
【００３６】
さらに、長手方向中央部植毛領域１９における、長手方向Ｘの最大長さＬは、使用者のブラッシング圧によらず歯ブラシの刷掃圧を軽減する観点から、好ましくは６ｍｍ以上であり、より好ましくは７ｍｍ以上であり、さらに好ましくは８．５ｍｍ以上である。そして、長手方向中央部植毛領域１９における、長手方向Ｘの最大長さＬは、歯ブラシの口腔内における操作性の観点、奥歯の磨きやすさの観点から、好ましくは２０ｍｍ以下であり、より好ましくは１５ｍｍ以下であり、さらに好ましくは１２ｍｍ以下である。また、長手方向中央部植毛領域１９における、長手方向Ｘの最大長さＬは、好ましくは６〜２０ｍｍであり、より好ましくは６〜１５ｍｍであり、さらに好ましくは７〜１２ｍｍであり、よりさらに好ましくは８．５〜１２ｍｍである。
【００３７】
長手方向中央部植毛領域１９の面積を、主植毛穴１４ａの数で割った値である、主植毛穴１４ａの平均占有単位面積は、植毛台の耐久性、製造性の観点から、１．５ｍｍ2以上であり、好ましくは２ｍｍ2以上である。また植毛穴１４ａの相互の距離を短くして密度の高い植毛を実現し、歯ブラシの刷掃圧を軽減し、かつ、テーパーブリッスル１６の尖鋭な先端による刺激をも緩和する観点から、４ｍｍ2以下であり、好ましくは３．５ｍｍ2以下である。
【００３８】
また、主植毛穴１４ａの平均占有単位面積は、１．５ｍｍ2以上４ｍｍ2以下であり、好ましくは１．５〜３．５ｍｍ2であり、より好ましくは２〜３ｍｍ2である。
【００３９】
本実施形態では、長手方向中央部植毛領域１９に含まれる主植毛穴１４ａ（１４ｂ，１４ｃ，１４ｅ）の数が、好ましくは２０〜８０個（本実施形態では４５個）である。長手方向中央部植毛領域１９に含まれる主植毛穴１４ａ（１４ｂ，１４ｃ，１４ｅ）の数は、歯ブラシの刷掃圧を軽減し、テーパーブリッスル１６の感触を改善する観点から、２０個以上であり、好ましくは２５個以上であり、さらに好ましくは３０個以上である。また植毛台の耐久性と口腔内における操作性のバランスの観点から、８０個以下であり、好ましくは６０個以下であり、さらに好ましくは４０個以下である。
【００４０】
また、長手方向中央部植毛領域１９に含まれる主植毛穴１４ａ（１４ｂ，１４ｃ，１４ｅ）の数は、２０個以上８０個以下であり、好ましくは２５〜６０個であり、より好ましくは３０〜４０個である。
【００４１】
本実施形態では、主植毛穴１４ａ（１４ｂ，１４ｃ，１４ｅ）の植毛台１１の植毛面１１ａにおける横断面積の平均は、個々の植毛穴の占める面積をより小さくすると共に、植毛穴間の距離を短くすることにより、歯ブラシによる刷掃圧を軽減し、テーパーブリッスル１６に特有の刺激を軽減する観点から、好ましくは０．６〜１．４ｍｍ2であり、より好ましくは０．７〜１．３ｍｍ2であり、さらに好ましくは０．８〜１．２ｍｍ2である。
【００４２】
本実施形態では、先端側植毛領域２０や基端側植毛領域２１に設けられた、主植毛穴１４ａ（１４ｂ，１４ｃ，１４ｅ）以外の植毛穴である副植毛穴１４ｆ，１４ｇの、植毛台１１の植毛面１１ａにおける横断面積の平均は、製造性と、長手方向中央植毛領域における刷掃圧力の軽減と、テーパーブリッスル１６の感触を良好とする観点から、好ましくは０．６〜１．４ｍｍ2であり、より好ましくは０．７〜１．３ｍｍ2であり、さらに好ましくは０．８〜１．２ｍｍ2である。また好ましくは長手方向中央植毛領域１９の主植毛穴１４ａ（１４ｂ，１４ｃ，１４ｅ）の横断面積の平均以下であり、より好ましくは長手方向中央植毛領域１９の主植毛穴１４ａ（１４ｂ，１４ｃ，１４ｅ）の横断面積より小さい。
【００４３】
本実施形態では、上述のように、長手方向央部植毛領域１９の主植毛穴１４ａは、幅方向中央部分に設けられた複数の幅方向中央部主植毛穴１４ｂと、幅方向中央部分の両側の幅方向外側部分に設けられた複数の幅方向外側部主植毛穴１４ｃとを含んでおり、幅方向中央部主植毛穴１４ｂの植毛台１１の植毛面１１ａにおける横断面積が、好ましくは１．０〜１．６ｍｍ2となっており、幅方向外側部主植毛穴１４ｃの植毛台１１の植毛面１１ａにおける横断面積が、好ましくは０．４〜０．９ｍｍ2となっている。幅方向中央部主植毛穴１４ｂの横断面積が１．０〜１．６ｍｍ2となっており、且つ幅方向外側部主植毛穴１４ｃの横断面積が０．４〜０．９ｍｍ2となっていることが、歯と歯茎に対する刷掃圧を軽減しながら、汚れ除去性能を高める観点から好ましい。
【００４４】
より好適には、本実施形態では、幅方向中央部主植毛穴１４ｂは、植毛台１１の植毛面１１ａにおける横断面形状が、例えば短軸が０．５ｍｍ、長軸が１．６ｍｍの大きさのトラック円形状となっている。幅方向中央部主植毛穴１４ｂは、短軸方向を植毛台１１の長手方向Ｘに沿わせて、一列に連設配置されて６箇所に設けられている。各々の幅方向中央部主植毛穴１４ｂは、１．３９ｍｍ2の横断面積（開口面積）を有している。幅方向外側部主植毛穴１４ｃは、植毛台１１の植毛面１１ａにおける横断面形状が、例えば直径が１ｍｍの大きさの円形となっており、０．７９ｍｍ2の横断面積（開口面積）を有している。本実施形態では、長手方向央部植毛領域１９に設けられた補助主植毛穴１４ｅや、先端側植毛領域２０及び基端側植毛領域２１に設けられた先端側副植毛穴１４ｆ及び基端側副植毛穴１４ｇもまた、植毛台１１の植毛面１１ａにおける横断面形状が、例えば直径が１ｍｍの大きさの円形となっており、０．７９ｍｍ2の横断面積（開口面積）を有している。
【００４５】
本実施形態の歯ブラシ１０が備える植毛台１１の厚みは、刷掃圧を軽減しながら十分な汚れ除去性能を実現する長手方向中央部植毛領域１９を備えつつ、口腔内における歯ブラシ１０の操作性及び奥歯の磨きやすさを実現する観点から、好ましくは５ｍｍ以下であり、より好ましくは４.５ｍｍ以下であり、さらに好ましくは４ｍｍ以下である。そして、植毛台１１の厚みは、歯ブラシ１０の耐久性と製造性の観点から、好ましくは２．５ｍｍ以上であり、より好ましくは３ｍｍ以上である。また、植毛台１１の厚みは、好ましくは２．５〜５ｍｍであり、より好ましくは３〜４．５ｍｍであり、さらに好ましくは３〜４ｍｍである。なお、植毛台１１の厚みは、長手方向中央部植毛領域１９における平均厚みであって、植毛穴１４が形成されていない領域の表面から背面までの平均の厚みである。
【００４６】
そして、上述の構成を備える本実施形態の歯ブラシ１０によれば、歯茎５１が腫れていたり歯茎５１に炎症を起こしている場合でも、痛みを感じることを抑制し、痛みを感じにくくしながら歯５０や歯茎５１を効果的に磨くことが可能になると共に、歯５０と歯茎５１の境目部分５２のみならず、歯５０や歯茎５１の表面も効果的に刷掃することが可能になる。
【００４７】
すなわち、本実施形態の歯ブラシ１０によれば、複数本のテーパーブリッスル１６を束ねてなる毛束１５が植設されており、長手方向中央部植毛領域１９における、植毛台１１の長手方向の最大長さＬに対する、植毛台１１の長手方向Ｘと垂直な方向Ｙの最大幅ｈの比（ｈ／Ｌ）が、０．９〜２となっており、長手方向中央部植毛領域１９における、植毛台１１の長手方向Ｘと垂直な方向Ｙの最大幅ｈが、１０〜１７ｍｍとなっており、且つ長手方向中央部植毛領域１９の面積を、主植毛穴１４ａの数で割った値である、主植毛穴１４ａの平均占有単位面積が、１．５〜４ｍｍ2となっているので、従来の歯ブラシよりも横幅が広くなった長手方向中央部植毛領域１９に、比較的束径の小さなテーパーブリッスル１６による毛束１５を、ばらつきを少なくすると共に適度に密集させた状態で植設することが可能になる。
【００４８】
これによって、図４に示すように、例えば歯５０と歯茎５１の境目部分５２を歯５０や歯茎５１と共に刷掃する際に、テーパーブリッスル１６のテーパー形状部分１６ａによる先端を、押付け力を広範囲に分散しながら、面として歯５０や歯茎５１に押し付けることが可能になるので、歯茎５１が腫れたり歯茎５１に炎症を起こしていて、例えば歯肉の腫れ・出血部分５１ａ等が生じている場合でも、痛みを感じることを抑制、或いは防止し、歯５０や歯茎５１を効果的に磨くことが可能になると共に、ばらつきが少なく適度に密集させた状態で配置された毛束１５のテーパーブリッスル１６によって、歯５０と歯茎５１の境目部分５２のみならず、歯５０や歯茎５１の表面も効果的に刷掃することが可能になる。
【００４９】
なお、本発明は上記実施形態に限定されることなく種々の変更が可能である。例えば、長手方向央部植毛領域の主植毛穴は、幅方向中央部分に設けられた主植毛穴と、幅方向外側部分に設けられた主植毛穴とで、その大きさ又は形状が異なっている必要は必ずしも無く、同じ大きさ及び形状となるように形成されていても良い。
【実施例】
【００５０】
以下、実施例及び比較例により、本発明の歯ブラシをさらに詳細に説明するが、本発明は、以下の実施例及び比較例の記載によって何ら制限されるものではない。
【００５１】
〔実施例１〜３、比較例１〜５〕
表１の実施例２の歯ブラシは、上述の図１〜図３に示す実施形態の歯ブラシと同様の構成を有するもので、植毛台の植毛面に、図２に示す配置で、長手方向中央部植毛領域に配置される主植毛穴と、先端側植毛領域及び基端側植毛領域に配置される副植毛穴とが形成されている。なお、表１中の「Ｒ０．５−１．６×６」は、植毛台の植毛面における横断面形状が、短軸０．５ｍｍ、長軸１．６ｍｍのトラック円形状の植毛穴が６個存在することを示し、「φ１．０×６３」は、植毛台の植毛面における横断面形状が、直径１．０ｍｍの円形の植毛穴が６３個存在することを示す。また、実施例１〜３及び比較例５の歯ブラシの植毛台の厚みは３．５ｍｍであり、比較例１〜４の歯ブラシの植毛台の厚みは５ｍｍである。
【００５２】
植毛穴の形状や配列、寸法、ブリッスルの直径等を表１に示すように変更した以外は、実施例２と同様の構成を有する歯ブラシを実施例１、３の歯ブラシ、及び比較例１〜５の歯ブラシとした。実施例１〜３及び比較例５の歯ブラシでは、各々の毛束は、融着植毛によって植毛穴に植設されており、比較例１〜４の歯ブラシでは、平線によって植毛穴に植設されている。毛束を構成するブリッスルは、全て先端部分にテーパー形状部分を備えるテーパーブリッスルとなっている。
【００５３】
実施例１〜３の歯ブラシ、及び比較例１〜５の歯ブラシの各々について、各植毛穴の横断面積、横断面積の総和、各植毛穴に植設されるブリッスルの本数及び充填率の値を算定した。算定結果を表１に示す。横断面積の異なる２種類の植毛穴を備える実施例１〜３及び比較例４の歯ブラシについては、横断面積の異なる各々の植毛穴について、各植毛穴の横断面積、横断面積の総和、各植毛穴に植設されるブリッスルの本数及び充填率の値を算定した。また、実施例１〜３の歯ブラシ、及び比較例１〜５の歯ブラシの各々について、長手方向中央部植毛領域における、面積、植毛台の長手方向の最大長さ、植毛台の幅方向の最大幅、及び植毛台の長手方向の最大長さに対する植毛台の幅方向の最大幅ｈの比（ｈ／Ｌ）の値と、主植毛穴の数と、長手方向中央部植毛領域の面積を主植毛穴の数で割った値である、主植毛穴の平均占有単位面積の値とを算定した。算定結果を表１に示す。さらに、実施例１〜３の歯ブラシ、及び比較例１〜５の歯ブラシの各々について、主植毛穴の植毛台の植毛面における横断面積の平均と、主植毛穴以外の植毛穴の、植毛台の植毛面における横断面積の平均とを算定した。算定結果を表１に示す。
【００５４】
【表１】
2016097191.tif 000003
【００５５】
実施例１〜３の歯ブラシ、及び比較例１〜５の歯ブラシの各々について、以下のようにして、テーパーブリッスルの歯茎への感触等に関する評価、歯面凹凸モデルの歯垢除去率評価試験、やわらかい表面の刷掃痕深さ評価試験、及び刷掃シミュレーション解析を行った。なお、比較例５の歯ブラシは刷掃シミュレーション解析のみ行った。
【００５６】
〔テーパーブリッスルの感触〕
テーパーブリッスルの歯茎への感触等に関する評価では、表２に示すように、「テーパーブリッスルの歯茎への感触」、「歯と歯茎の間の汚れ落ち感」、「毛先が歯と歯茎の間に深く届く感じ」、「ブラシ部分の毛の密着性」、「奥歯の磨きやすさ」、「お口の中での操作性の良さ」を評価項目とした。歯茎への刺激が気になると答えた５名をパネラーとして、実施例１〜３の歯ブラシ、及び比較例１〜４の歯ブラシを実際に使用してもらい、非常に良い：３点、良い：２点、普通：１点として、３段階のスコアーによって評価してもらった。５名のパネラーのスコアーの平均値による評価結果を表２に示す。
【００５７】
【表２】
2016097191.tif 000004
【００５８】
表２に示す評価結果では、本発明に係る実施例１〜３の歯ブラシは、いずれの評価項目についても、良好な評価結果が得られていることが判明する。
【００５９】
〔歯面凹凸モデルの歯垢除去率評価試験〕
歯の表面には、全体に３０〜１２０μｍ程度の幅及び深さの微細な凹凸が形成されていることから、微細な凹凸を表面に形成した歯面の凹凸モデルに、歯垢モデルを付着させた歯面汚れ凹凸モデルを作成した。すなわち、歯面汚れ凹凸モデルは、凹凸モデルとして、縦１５ｍｍ×横１５ｍｍ×厚さ３ｍｍのステンレス鋼の表面に、角が９０°で直線状の、幅９０μｍ、深さ１００μｍの溝を６２０μｍの間隔で複数設けたものを使用し、この凹凸モデルの表面に、歯垢モデルとしてアイライナー（「サナ  スーパークイックアイライナー  ＥＸ０１」、常盤薬品工業製）を用いて、これを溝内に擦り込んで充填した状態で塗布することによって作成した。
【００６０】
作成した歯面汚れ凹凸モデルを、アルミ板（３０ｍｍ×８０ｍｍ×５ｍｍ）の中央に設けた１５ｍｍ×１５ｍｍ×３ｍｍの正方形の凹部に嵌め込み、ブラッシングマシーンを用いて、実施例１〜３、及び比較例１〜４の各々の歯ブラシにより、歯面汚れ凹凸モデルの表面に対するブラッシング試験を行った。刷掃条件は、荷重：２００ｇ、ストローク幅：３０ｍｍ、ストローク速度：１２０ｒｐｍ、ストローク数：５０回（往復５０回）、刷掃方向：歯面汚れ凹凸モデルの溝の方向に平行な方向とした。ブラッシングは、各々の歯ブラシの毛先に、歯磨剤として「ディープクリーンバイタルＤ」（花王（株）社製）２ｇを塗布した状態で行った。
【００６１】
ブラッシングの後に、歯垢モデルの体積の除去率を、「３ＤマイクロスコープＶＲ−３１００（×２５）」（株式会社キーエンス社製）を用いて、測定範囲を１２×９ｍｍとして解析した。解析結果を表３に示す。
【００６２】
【表３】
2016097191.tif 000005
【００６３】
表３に示す解析結果では、本発明に係る実施例１〜３の歯ブラシは、比較例１〜４の歯ブラシと比較して、高い歯垢除去率が得られており、歯面に対する汚れ落ち効果が高いことが判明する。なお、歯垢除去性能は、歯ブラシのブリッスルの数が多いほど高くなることから、歯垢除去率を歯ブラシの植毛穴の総面積で除した数値により比較することが好ましい。表３に示すように、植毛穴の単位面積あたりの歯垢除去性能は、本発明に係る実施例１〜３の歯ブラシが極めて高いことが認められる。
【００６４】
〔歯茎モデルの表面の刷掃痕深さ評価試験〕
図５に示すように、歯茎モデルとして、シリコンシート５５（硬度１０／厚み約３ｍｍ）の上に、両面テープ５６（厚み約９０μｍ）を用いて、インクリボン５７（厚み約３μｍ）を貼り付けたものを作成した。作成した歯茎モデルの表面モデルとなる、インクリボン５７（厚み約３μｍ）による柔軟なやわらかい表面を、ブラッシングマシーンを用いて、実施例１〜３、及び比較例１〜４の各々の歯ブラシにより刷掃させた。刷掃させた後のインクリボン５７の表面の状態を、「３ＤマイクロスコープＶＲ−３１００（×１２）」（株式会社キーエンス社製）を用いて観察することで、歯茎モデルの表面の刷掃痕深さを解析した。測定範囲は２０×１０ｍｍとした。刷掃条件は、荷重：３００ｇ、ストローク幅：２０ｍｍ、ストローク速度：１２０ｒｐｍ、ストローク数：１２０回とした。解析結果を上記の表３に示す。
【００６５】
表３に示す刷掃痕深さの解析結果では、本発明に係る実施例１〜３の歯ブラシは、比較例１〜４の歯ブラシと比較して、歯茎モデルの表面に対する刷掃痕深さが浅くなっており、毛先の当たりが優しくなっていることが判明する。
【００６６】
〔刷掃シミュレーション解析〕
歯のフラットな面のモデルを想定した刷掃面を使用し、この刷掃面を歯ブラシで刷掃したときに刷掃面に対して加わる摩擦力を、コンピューター上でシミュレートできるプログラムを用い、実施例１〜３、及び比較例１〜５の各々の歯ブラシの刷掃性能を評価した。上述のプログラムでは、水平方向をｘ軸、鉛直上向き方向をｙ軸と定義し、刷掃面は、図６（ａ）に示すモデルを設定した。具体的には、ｘｙ平面上でｙ軸を中心線とした平坦な面であって、水平線がｘ軸の正、負方向に無限に延びている。この線分がｘｙ両軸と直交するｚ軸方向に無限に延びているものを仮想の刷掃面とした。
【００６７】
歯ブラシは、植毛台の植毛面を水平に保ち、毛先が下向きで、歯ブラシの長手方向をｘ軸に一致させた状態とする。刷掃方向はｘ軸方向（歯ブラシの長手方向）とし、毛束の変形はｘｙ平面上のみで起こるものとする。歯ブラシの台座部分（植毛台部分）に鉛直方向下向きに一定の荷重を加えた状態で、歯ブラシを、ｘ軸方向に移動させた。歯ブラシの台座部分に加わる荷重（１５０ｇｆに設定）が、毛束に加わる荷重の合計量とした。また、歯ブラシの毛束は、歯ブラシの移動方向に応じて図６（ｂ）及び（ｃ）に示す方向に傾斜するものとした。
【００６８】
歯ブラシの植毛仕様やブラッシング条件を計算条件として入力し、上述の仮想の刷掃面上を歯ブラシで刷掃したときの毛束先端の摩擦力をシミュレートした。このシミュレーションでは、歯ブラシの植毛仕様として、毛束の長さ（植毛台からの長さ）、各毛束を構成するブリッスルの径、ブリッスルの本数、ブリッスルの形状（例えば、ブリッスルの先端がテーパー状、ラウンド状等の区別）、各毛束を構成する植毛穴の横断面の形状（例えば、円形、長円形等の区別）、植毛穴の横断面のサイズ（横断面が円形の場合は径、長円形の場合は長軸と短軸の長さ）、各々の形状の植毛穴のそれぞれの数等を入力した。さらにブリッスルの材質としてはナイロンに統一し、ヤング率を２．０×１０-9Ｐａとし、ブラッシング条件として、刷掃面の摩擦係数を０．３として計算した。また、このプログラムは梁のモデルを基本とし、図６（ｂ）、（ｃ）に示すように、ブリッスルの撓み形状を直線として近似して計算した。
【００６９】
このシミュレーションの結果として、仮想の刷掃面上の各部分に対して、毛束が通過したときの摩擦力の歯ブラシの全毛束についての和を、刷掃面上にプロットしたものを、図７〜図９に示した。図７〜図９に示すグラフは、台座（植毛台）の長手方向中心線を挟む両側のうちの一方の側のみを示したものである。
【００７０】
図７（ａ）は、実施例１の歯ブラシについてのシミュレート結果を示すものである。図７（ｂ）は、実施例２の歯ブラシについてのシミュレート結果を示すものである。図７（ｃ）は、実施例３４の歯ブラシについてのシミュレート結果を示すものである。図８（ａ）は、比較例１の歯ブラシについてのシミュレート結果を示すものである。図８（ｂ）は、比較例２の歯ブラシについてのシミュレート結果を示すものである。図８（ｃ）は、比較例３の歯ブラシについてのシミュレート結果を示すものである。図９（ａ）は、比較例４の歯ブラシについてのシミュレート結果を示すものである。図９（ｂ）は、比較例５の歯ブラシについてのシミュレート結果を示すものである。
【００７１】
図７〜図９に示すシミュレート結果によれば、比較例１〜５の歯ブラシは摩擦力が非常に強いか、摩擦力の高い領域と、低い領域の差が大きいのに対して、実施例１〜３の歯ブラシは、全体に摩擦力が低く、摩擦力が極めて高い領域等が見当たらなく、摩擦力にムラが生じにくいことが判明する。
【００７２】
表４に、図７〜図９に示されたシミュレート結果について、各々の摩擦力の区分に対応するカウント数と、各々の摩擦力の区分に対応するカウント数の、全カウント数に対する割合を示す。表４に示す、各々の摩擦力の区分に対応するカウント数や、各々の摩擦力の区分に対応するカウント数の割合から、本発明に係る実施例１〜３の歯ブラシは、１２ｇｆ以下の摩擦力のカウント数が多く、３〜１２ｇｆの摩擦力のカウント数が多いのに対して、比較例１〜５の歯ブラシは、１２ｇｆ以上の摩擦力のカウント数が極めて多い、又は３ｇｆ以下の摩擦力のカウント数が多いことが判明する。
【００７３】
【表４】
2016097191.tif 000006
【符号の説明】
【００７４】
１０  歯ブラシ
１１  植毛台
１１ａ  植毛面
１２  把持部
１３  首部
１４  植毛穴
１４ａ  主植毛穴
１４ｂ  幅方向中央部主植毛穴
１４ｃ  幅方向外側部主植毛穴
１４ｄ  最外側植毛穴
１４ｅ  補助主植毛穴
１４ｆ  先端側副植毛穴
１４ｇ  基端側副植毛穴
１５  毛束
１６  テーパーブリッスル
１７  最外側毛束列
１８  矩形状植毛領域
１８ａ  第１周縁線
１９  長手方向中央部植毛領域
１９ａ  第２周縁線
２０  先端側植毛領域
２１  基端側植毛領域
３０  先端ブラシ面
５０  歯
５１  歯茎
５２  境目部分
Ｘ    植毛台の長手方向
Ｙ    植毛台の長手方向と垂直な方向（幅方向）
Ｌ    長手方向中央部植毛領域の最大長さ
ｈ    長手方向中央部植毛領域の最大幅
【図１】
2016097191.tif 000007
【図２】
2016097191.tif 000008
【図３】
2016097191.tif 000009
【図４】
2016097191.tif 000010
【図５】
2016097191.tif 000011
【図６】
2016097191.tif 000012
【図７】
2016097191.tif 000013
【図８】
2016097191.tif 000014
【図９】
2016097191.tif 000015